(57)【要約】【課題】文章の送信者または受信者の手を煩わせることなく、通信端末が文章を読み上げる際の読み上げ方を替えることを可能とする。【解決手段】電子メールサーバ装置３１０は、電子メールを受信すると、電子メールの送信者に係わる属性データをサービス制御局３２０から取得する。電子メールサーバ装置は、取得した属性データを電子メールのヘッダに付加した後、この電子メールを電子メールの宛先へ配信する。電子メールを受信した装置は、電子メールのヘッダに付加された属性データに基づいて、電子メールの本文を読み上げる際の読み上げ方を替える。【選択図】      図１
2005031919.tif 000002
【特許請求の範囲】
【請求項１】
通信網の利用者を一意に特定するアドレスデータと、前記アドレスデータを付与された者の属性を示す属性データとを対応付けて記憶する記憶装置と、
文字データと、前記アドレスデータであって該文字データの送信元を示す送信元データと、前記アドレスデータであって該文字データの宛先を示す宛先データとを受信する受信手段と、
前記受信手段が受信した送信元データと同じアドレスデータに対応付けて記憶されている属性データを前記記憶装置から取得する取得手段と、
前記受信手段が受信した文字データと、前記取得手段が取得した属性データとを、前記受信手段が受信した宛先データで特定される者が使用する通信端末へ送信する送信手段と
を有するサーバ装置と、
前記送信手段が送信した文字データと属性データとを受信するデータ受信手段と、
前記データ受信手段が受信した文字データが示す文字の読み上げ方を、前記データ受信手段が受信した属性データに基づいて決定する決定手段と、
前記決定手段が決定した読み上げ方に基づいて、前記データ受信手段が受信した文字データが示す文字を読み上げる音声発生手段と
を有する通信端末と、
を有する通信システム
【請求項２】
前記記憶装置は、前記アドレスデータで特定される者が使用する通信端末の位置を示す位置データを前記アドレスデータに対応付けて記憶し、
前記取得手段は、前記位置データを属性データとして取得すること
を特徴とする請求項１に記載の通信システム。
【発明の詳細な説明】
【０００１】
【発明の属する技術分野】
本発明は、文字を示す文字データに基づいて音声を発生させる技術に関する。
【０００２】
【従来の技術】
近年、車両には、カーオーディオ装置やカーナビゲーション装置だけでなく、電子メールの授受が可能な通信端末が搭載され始めている。このように車両に搭載される通信端末においては、安全上の観点から、運転中であっても受信した電子メールの内容を知ることができるように、文章を読み上げる技術が注目されている。
【０００３】
文章を読み上げる技術としては様々な技術が開発されているが、この技術の一例として、例えば、文章を読み上げる際の読み上げ方を電子メールの送信者に応じて変更する技術がある（例えば、特許文献１、特許文献２参照）。例えば、特許文献１には、電子メールを受信した装置のアドレス帳に記憶されている性別情報に基づいて、電子メールの送信者の性別を特定し、男性または女性の声で文章を読み上げる技術が記載されている。また、特許文献２には、電子メールの送信者が設定した性別情報を電子メールに付加し、電子メールした装置においては、この付加された性別情報に基づいて、男性または女性の声で文章を読み上げる技術が記載されている。
【０００４】
通信端末などの電子装置が文章を読み上げる際の音声は、一般的に常に同じ声質や発話速度であり、読み上げ方が単調で表現に乏しいものが多いが、上述した技術によれば、電子メールの送信者の属性（性別、年齢、住所など）を反映した音声で文章を読み上げることが可能となり、より自然な文章の読み上げが可能となる。
【０００５】
【特許文献１】
特開２００２−１０８３７８号公報
【特許文献２】
特開２０００−１２２９４１号公報
【０００６】
【発明が解決しようとする課題】
特許文献１および特許文献２に記載されている技術によれば、電子メールの送信者の属性（性別、年齢、住所など）を反映した音声で文章を読み上げることが可能となり、より自然な文章の読み上げが可能となる。しかしながら、特許文献１および特許文献２に記載されている技術では、以下に示すような問題があった。
【０００７】
特許文献１に記載されている技術では、電子メールの送信者に係わる情報がアドレス帳に登録されていない場合には、電子メールの送信者の性別情報を抽出することができず、文章を読み上げる際の声質を決定することができないという問題がある。
【０００８】
特許文献２に記載されている技術では、電子メールの送信者は、電子メールを送信する度に、電子メールに付加する情報を設定するという煩雑な作業を行わなければならない。特許文献２には、電子メールに付加する情報を電子メールの送信前に事前に設定しておくことにより、このような煩雑な作業を省く技術も記載されているが、事前に情報を設定するためには、例えば、メニューに従って通信端末を操作し、情報を設定するという煩雑な作業が結局は必要となる。
【０００９】
本発明は、上述した事情に鑑みてなされたものであり、文章の送信者または受信者の手を煩わせることなく、通信端末が文章を読み上げる際の読み上げ方を替えることが可能な技術を提供することを目的とする。
【００１０】
【課題を解決するための手段】
上述した課題を解決するために本発明は、通信網の利用者を一意に特定するアドレスデータと、前記アドレスデータを付与された者の属性を示す属性データとを対応付けて記憶する記憶装置と、文字データと、前記アドレスデータであって該文字データの送信元を示す送信元データと、前記アドレスデータであって該文字データの宛先を示す宛先データとを受信する受信手段と、前記受信手段が受信した送信元データと同じアドレスデータに対応付けて記憶されている属性データを前記記憶装置から取得する取得手段と、前記受信手段が受信した文字データと、前記取得手段が取得した属性データとを、前記受信手段が受信した宛先データで特定される者が使用する通信端末へ送信する送信手段とを有するサーバ装置と、前記送信手段が送信した文字データと属性データとを受信するデータ受信手段と、前記データ受信手段が受信した文字データが示す文字の読み上げ方を、前記データ受信手段が受信した属性データに基づいて決定する決定手段と、前記決定手段が決定した読み上げ方に基づいて、前記データ受信手段が受信した文字データが示す文字を読み上げる音声発生手段とを有する通信端末と、を有する通信システムを提供する。
【００１１】
この通信システムによれば、サーバ装置が文字データを受信すると、文字データの送信者に係わる属性データが記憶装置から取得され、文字データと文字データの送信者に係わる属性データとが通信端末に送信される。通信端末では、文字データと属性データとが受信され、この文字データと属性データとに基づいて、文字データが読み上げられる。
【００１２】
【発明の実施の形態】
以下、図面を参照して本発明に係る実施形態について説明する。
【００１３】
［１．実施形態］
［１−１．全体構成］
図１は、本発明の実施形態に係わる通信システムの全体構成を例示する図である。この通信システムには、多数の携帯電話機、車両、車両に搭載された無線端末が存在するが、図面が繁雑になるのを防ぐために、携帯電話機１００と、車両２００と、無線端末２１０のみを図１に示す。
【００１４】
移動体通信網３００は、例えばＰＤＣ−Ｐ（Ｐｅｒｓｏｎａｌ  Ｄｉｇｉｔａｌ  Ｃｅｌｌｕｌａｒ  Ｐａｃｋｅｔ）と呼ばれる無線通信方式に準拠した通信網であり、携帯電話機１００や無線端末２１０と通信を行う無線基地局と、無線基地局に接続された交換機と、交換機に接続された関門交換機と、各交換機に接続され、交換機間で行われるデータの授受を中継する共通線信号網と（いずれも図示略）、ゲートウェイサーバ装置３３０と、サービス制御局３２０と、電子メールサーバ装置３１０とを有している。移動体通信網３００は、当該通信網を運用する通信事業者との間で加入契約を結んだ加入契約者に対してデータ通信サービスを提供する。また、移動体通信網３００は、通信事業者から電子メールアドレスを付与された者に対し、電子メールの配信サービスを提供する。
【００１５】
ゲートウェイサーバ装置３３０は、関門交換機、電子メールサーバ装置３１０および図示を省略したインターネットに接続されており、移動体通信網３００とインターネットとの相互接続を行う。具体的には、ゲートウェイサーバ装置３３０は、インターネットと移動体通信網３００との間でパケット通信が行われる際に、移動体通信網３００内で使用されるプロトコルと、インターネット等の他のネットワークにて標準で使用されるＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）との相互変換を行う。
【００１６】
サービス制御局３２０は、加入契約者の属性に係わる属性データを格納した加入者情報テーブルＴＢ１を記憶している。図２は、加入者情報テーブルＴＢ１のフォーマットを例示する図である。
図２に例示したように、加入者情報テーブルＴＢ１は、加入契約者の氏名、性別、通信事業者が加入契約者に付与した電子メールアドレス、加入契約者が所有する通信端末を一意に識別する端末識別子、加入契約者が所有する携帯電話機１００や無線端末２１０の位置を示す位置データなどを格納している。加入者情報テーブルＴＢ１が格納する情報のうち、氏名や性別などの個人の属性に係わる属性データは、通信事業者がサービス制御局を操作することにより格納される。また、位置データは、携帯電話機１００や無線端末２１０が位置登録を行うことにより格納され、例えば、携帯電話機１００や無線端末２１０が在圏するエリアを示す位置登録エリア番号が格納される。また、サービス制御局３２０は、電子メールサーバ装置３１０から送信されるメッセージに応じて、加入者情報テーブルＴＢ１に格納されているデータを電子メールサーバ装置３１０へ送信する機能を備えている。
【００１７】
電子メールサーバ装置３１０は、ゲートウェイサーバ装置３３０に接続されており、加入契約者が所有している携帯電話機１００または無線端末へ電子メールを配信する機能を備えている。電子メールサーバ装置３１０の詳細については、後に説明する。
【００１８】
携帯電話機１００は、ＰＤＣ−Ｐに準拠した携帯電話機であり、移動体通信網３００が提供するサービスを受けることができる。携帯電話機１００は、電子メールを授受するための電子メールソフトウェアを記憶しており、携帯電話機１００の使用者の操作に応じて、この電子メールソフトウェアを起動する。携帯電話機１００が、電子メールソフトウェアを起動すると、移動体通信網３００と無線通信を行い、電子メールを授受する機能が実現する。
【００１９】
車両２００に搭載されている無線端末２１０は、ＰＤＣ−Ｐに準拠した通信端末であり、携帯電話機１００と同様に移動体通信網３００が提供するサービスを受けることができる。また、無線端末２１０は、電子メールの本文を読み上げる電子メール読み上げ機能を備えており、電子メールの本文の記載に基づいて音声を発する。無線端末２１０の詳細については後に説明する。
【００２０】
［１−２．電子メールサーバ装置の構成］
電子メールサーバ装置３１０のハードウェア構成は、一般的な電子メールサーバ装置と同様であり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、データを永続的に記憶するハードディスク装置などの装置を備えた記憶部３１１、他の装置と通信を行うためのインターフェースとして機能する通信部などを具備している。
【００２１】
記憶部３１１は、電子メールを配信する機能を電子メールサーバ装置３１０に実現させるＯＳ（Ｏｐｅｒａｔｉｎｇ  Ｓｙｓｔｅｍ）ソフトウェアや、データ付加プログラムを記憶している。データ付加プログラムについては、後に説明する。
【００２２】
ＣＰＵがＯＳソフトウェアを記憶部３１１から読み出して起動すると、電子メールサーバ装置３１０において、電子メールを配信する機能が実現する。ＣＰＵはＯＳソフトウェアを起動した後、データ付加プログラムを記憶部３１１から読み出して起動する。ＣＰＵがデータ付加プログラムを起動すると、電子メールの送信者に係わる属性データをサービス制御局３２０から取得し、取得した属性データを電子メールに付加する機能が電子メールサーバ装置３１０において実現する。
【００２３】
図３は、データ付加プログラムを実行したＣＰＵが行う処理の流れを例示したフローチャートである。データ付加プログラムを実行中のＣＰＵは電子メールを受信すると、受信した電子メールのヘッダのＦｒｏｍフィールドから電子メールの送信者の電子メールアドレスを抽出する。次にＣＰＵは、この抽出した電子メールアドレスを内包する属性データ要求メッセージをサービス制御局３２０へ送信し、このメッセージへの応答として送信される応答メッセージを受信すると、この応答メッセージに内包された属性データを抽出する。ＣＰＵは、この抽出した属性データを、受信した電子メールのヘッダに付加する。ＣＰＵは、ヘッダに属性データを付加すると、この属性データが付加された電子メールを電子メールの宛先へ配信する。
【００２４】
［１−３．無線端末の構成］
車両２００に搭載されている無線端末２１０のハードウェア構成は、一般的な携帯電話機と同様であり、無線端末２１０は、ＣＰＵ、ＲＯＭ、ＲＡＭ、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性メモリを備えた記憶部、スピーカおよびマイクなどを具備している。また、無線端末２１０は、テキストデータが示す文章を読み上げる音声合成部を具備している。
【００２５】
無線端末２１０は、電子メールを授受するための電子メールソフトウェアをＲＯＭに記憶しており、この電子メールソフトウェアを起動すると、無線端末２１０において、電子メールを授受する機能が実現する。また、無線端末２１０が、電子メールソフトウェアを起動すると、電子メールの本文を読み上げる、電子メール読み上げ機能が実現する。無線端末２１０は、電子メールの開封を指示されると、電子メールサーバ装置３１０により電子メールのヘッダに付加された属性データを抽出する。次に、無線端末２１０は、受信した電子メールの本文のテキストデータを抽出し、このテキストデータと属性データとを音声合成部へ供給する。音声合成部は、供給されたテキストデータと属性データとに基づいて、抽出した本文を読み上げる音声をスピーカから発生させるためのアナログ信号を生成する。音声合成部が、このアナログ信号をスピーカへ供給すると、電子メールの本文を読み上げる音声がスピーカから発せられる。
【００２６】
［２．実施形態の動作］
次に本実施形態に係わる通信システムの動作について説明する。なお、以下に説明する動作においては、携帯電話機１００の所有者には電子メールアドレス「ａａａ＠ａａａａ．ｎｅ．ｊｐ」が付与され、無線端末２１０の所有者であり、移動体通信網３００が提供するサービスの加入契約者である者には、電子メールアドレス「ｂｂｂ＠ａａａａ．ｎｅ．ｊｐ」が付与されている場合を想定する。また、サービス制御局３２０には、図２に例示したように加入契約者に関する情報が記憶されている場合を想定する。また、携帯電話機１００および無線端末２１０においては、既に電子メールソフトウェアが起動されており、電子メールサーバ装置３１０においては、データ付加プログラムが既に起動されている場合を想定し、以下の説明を行う。
【００２７】
携帯電話機１００の使用者が、携帯電話機１００を操作して無線端末２１０の使用者に付与された電子メールアドレス「ｂｂｂ＠ａａａａ．ｎｅ．ｊｐ」を宛先とした電子メールを作成した後、この電子メールの送信を指示する旨の操作を行うと、携帯電話機１００から電子メールが送信される。この電子メールは、移動体通信網３００の無線基地局にて受信され、交換機と関門交換機とゲートウェイサーバ装置３３０とを介して電子メールサーバ装置３１０へ送られる（図４：ステップＳ１０１）。
【００２８】
電子メールサーバ装置３１０の通信部が、この電子メールを受信すると、電子メールサーバ装置３１０のＣＰＵは、電子メールのヘッダのＦｒｏｍフィールドに記述されている電子メールアドレス、即ち、電子メールの送信者（携帯電話機１００の所有者）に付与されている電子メールアドレス「ａａａ＠ａａａａ．ｎｅ．ｊｐ」を抽出する（図３：ステップＳＡ１）。ＣＰＵは電子メールの送信者の電子メールアドレスを抽出すると、この電子メールアドレスを内包する属性データ要求メッセージを生成し、生成したメッセージをサービス制御局３２０へ送信する（ステップＳＡ２、ステップＳ１０２）。
【００２９】
このメッセージがサービス制御局３２０にて受信されると、サービス制御局３２０は、内包されている電子メールアドレス「ａａａ＠ａａａａ．ｎｅ．ｊｐ」を、加入者情報テーブルＴＢ１の中から検索する。サービス制御局３２０は、加入者情報テーブルＴＢ１に格納されているデータの中から、電子メールアドレス「ａａａ＠ａａａａ．ｎｅ．ｊｐ」を見つけると、例えば、この電子メールアドレスに対応付けて格納されている、加入契約者の性別データ「男性」を読み出す。サービス制御局３２０は、性別データを読み出すと、読み出した性別データを内包する応答メッセージを生成し、生成したメッセージを電子メールサーバ装置３１０へ送信する（ステップＳ１０３）。
【００３０】
電子メールサーバ装置３１０の通信部が、この応答メッセージを受信すると（ステップＳＡ３）、電子メールサーバ装置３１０のＣＰＵは、この応答メッセージに内包されている性別データ「男性」（属性データ）を抽出する。ＣＰＵは、性別データを抽出すると、例えば、受信した電子メールのヘッダに「Ｘ−ｓｅｉｂｅｔｕ」というフィールドを付加し、このフィールドに抽出した性別データを例えば、図５に例示したように記述する（ステップＳＡ４）。ＣＰＵは、電子メールのヘッダに性別データを付加すると、電子メールのヘッダのＴｏフィールドに記述されている電子メールアドレス「ｂｂｂ＠ａａａａ．ｎｅ．ｊｐ」で特定される無線端末２１０を宛先として、電子メールが送信されていることを通知するメール着信メッセージを送信する。このメッセージは、移動体通信網３００のゲートウェイサーバ装置３３０、交換機および無線基地局を介して無線端末２１０へ送られる（ステップＳ１０４）。
【００３１】
無線端末２１０の通信部が、メール着信メッセージを受信すると、無線端末のＣＰＵは、電子メールを要求する旨のメール要求メッセージを生成し、通信部を制御して、このメッセージを電子メールサーバ装置３１０へ送信する（ステップＳ１０５）。電子メールサーバ装置３１０は、このメール要求メッセージを受信すると、「Ｘ−ｓｅｉｂｅｔｕ」フィールドを付加した電子メールを、無線端末２１０へ送信する（ステップＳ１０６）。無線端末２１０の通信部が、電子メールを受信すると、無線端末２１０のＣＰＵはスピーカから報知音を発生させ、電子メールを受信したことを無線端末２１０の使用者へ報知する。
【００３２】
無線端末２１０の使用者が無線端末２１０を操作し、受信した電子メールの開封を指示する旨の操作を行うと、無線端末２１０のＣＰＵは、受信した電子メールのヘッダの中から「Ｘ−ｓｅｉｂｅｔｕ」フィールドを検索し、「Ｘ−ｓｅｉｂｅｔｕ」フィールドを見つけると、このフィールドに記述されている性別データ「男性」を抽出する。次に、無線端末２１０のＣＰＵは、受信した電子メールの本文のテキストデータを抽出し、このテキストデータと性別データとを音声合成部へ供給する。音声合成部では、供給されたテキストデータに基づいて、抽出した本文を読み上げるための発声データが生成される。次に、音声合成部では、スピーカから発する音声が男性の声になるように、発生データと性別データとに基づいてアナログ信号が生成される。このアナログ信号はスピーカへ供給され、男性が電子メールの本文を読み上げた時の音声と同様の音声がスピーカから発せられる。
【００３３】
以上説明したように、本実施形態によれば、電子メールを受信する無線端末２１０は、電子メールの送信者に係わるデータをアドレス帳機能などにより記憶していなくとも、電子メールの送信者の性別を知ることが可能となり、文章を読み上げる際の読み上げ方を替えることが可能となる。また、電子メールを送信する携帯電話機１００においても、文章の読み上げ方を決めるための情報を電子メールに付加する必要がなくなり、電子メールの送信者に手間を省略することが可能となる。また、電子メールの送信者に応じて、電子メールの読み上げ方が替るので、文章を読み上げる際の表現力が豊かになるという効果も得ることができる。
【００３４】
［３．変形例］
本発明は、係る実施形態に限定されるものではない。以下、上述した実施形態の変形例について述べる。
【００３５】
サービス制御局３２０が記憶している加入者情報テーブルＴＢ１と同じテーブルを、電子メールサーバ装置３１０が記憶するようにしてもよい。また、加入者情報テーブルの一部、例えば、加入契約者の氏名と性別とを電子メールサーバ装置３１０が記憶するようにしてもよい。
【００３６】
電子メールサーバ装置３１０が、サービス制御局３２０から取得するのは、電子メールの送信者の性別を示すデータに限定されるものではなく、例えば、年齢や住所など他のデータであってもよい。また、電子メールサーバ装置３１０は、性別データと年齢を示すデータとを同時に取得するなど、複数のデータをサービス制御局３２０から取得するようにしてもよい。
【００３７】
無線端末２１０は、年齢を示すデータを取得した場合には、このデータが示す年齢に応じて、子供の声や、大人の声、老人の声などで電子メールの本文を読み上げるようにしてもよい。
【００３８】
また、電子メールサーバ装置３１０は、サービス制御局３２０から位置データを属性データとして取得し、この位置データを電子メールに付加するようにし、無線端末２１０は、位置データが電子メールに付加された場合には、この位置データに基づいて、音声のイントネーションを替えるようにしてもよい。例えば、無線端末２１０は、図６に例示したフォーマットの位置情報変換テーブルＴＢ２を記憶する。無線端末２１０は、電子メールに付加された位置データを抽出すると、位置情報変換テーブルＴＢ２を参照し、電子メールの送信者が位置する地方を特定する。例えば、図６に例示した位置情報変換テーブルＴＢ２を参照した場合、無線端末２１０は位置データが「ＬＲ００１」である場合、電子メールの送信者の位置を関西地方と特定する。無線端末２１０は、電子メールの送信者の位置を関西地方であるとすると、スピーカから発する音声が関西弁のイントネーションになるように、スピーカから音声を発するためのアナログ信号を生成する。このアナログ信号がスピーカへ供給されると、関西弁のイントネーションで電子メールの本文を読み上げた時の音声と同様の音声がスピーカから発せられる。このような態様によれば、電子メールの送信者の手を煩わせることなく、電子メールの送信者の位置を電子メールを受信する通信端末へ伝えることが可能となる。また、電子メールを受信した通信端末では、電子メールの送信者の位置に基づいて、電子メールの本文を読み上げる音声のイントネーションを替えるので、電子メールの送信者が同じであっても、読み上げる音声を替えることが可能となり、電子メールを読み上げる際に娯楽性を高めることが可能となる。
【００３９】
サービス制御局３２０は、加入契約者の好みの位置を示す特定位置データ（例えば、住所や県名、地方名、緯度および経度など）を、加入契約者の氏名に対応付けて記憶するようにし、電子メールサーバ装置３１０は、サービス制御局３２０から特定位置データを属性データとして取得し、この特定位置データを電子メールに付加するようにしてもよい。無線端末２１０は、特定位置データが電子メールに付加された場合には、この特定位置データに基づいて、上述した変形例のように音声のイントネーションを替えるようにしてもよい。
【００４０】
携帯電話機１００および無線端末２１０が授受するのは電子メールに限定されるものではなく、例えば、インスタントメッセージなどの文字データであってもよい。
【００４１】
【発明の効果】
以上説明したように本発明によれば、文章の送信者または受信者の手を煩わせることなく、通信端末が文章を読み上げる際の読み上げ方を替えることが可能となる。
【図面の簡単な説明】
【図１】本発明の実施形態に係わる通信システムの全体構成を例示する図である。
【図２】同実施形態に係わるサービス制御局３２０が記憶している加入者情報テーブルＴＢ１のフォーマットを例示する図である。
【図３】同実施形態に係わる、電子メールサーバ装置３１０のＣＰＵが行う処理の流れを例示するフローチャートである。
【図４】同実施形態の動作を説明するための図である。
【図５】同実施形態に係わる電子メールサーバ装置３１０が、電子メールのヘッダに付加したデータを例示する図である。
【図６】同実施形態の変形例に係わる無線端末２１０が記憶する位置情報変換テーブルＴＢ２のフォーマットを例示する図である。
【符号の説明】
１００・・・携帯電話機、２００・・・車両、２１０・・・無線端末、３００・・・移動体通信網、３１０・・・電子メールサーバ装置、３１１・・・記憶部、３２０・・・サービス制御局、３３０・・・ゲートウェイサーバ装置
【図１】
2005031919.tif 000003
【図２】
2005031919.tif 000004
【図３】
2005031919.tif 000005
【図４】
2005031919.tif 000006
【図５】
2005031919.tif 000007
【図６】
2005031919.tif 000008